(57)【要約】  【課題】リフィルをケース内で支持する箇所を削減しながら好適に転写物の転写を行い得る転写具を提供する。  【解決手段】本実施形態に係る転写具Ａは、リフィル３を、転写テープＴを保持するリール部３１と、転写テープＴに設けた転写物を被転写体に転写し得る転写ヘッド３５と、リール部３１を取り付けるとともに転写ヘッド３５の基端部３５１を一体的に設けた支持板３４とを有するものとし、基端部３５１と第一ケース部材１と第二ケース部材２との間に、基端部３５１と、第一ケース部材１及び第二ケース部材２との相対的な回動を禁止し得る係合部５を設けたことを特徴としている。  【選択図】図１
2008302598.tif 000002
【特許請求の範囲】
【請求項１】
第一のケース部材及び第二のケース部材との間にリフィルを設けた転写具において、
前記リフィルを、転写テープを保持するリール部と、転写テープに設けた転写物を被転写体に転写し得る転写ヘッドと、前記リール部を取り付けるとともに前記転写ヘッドの基端部を一体的に設けた支持板とを有するものとし、
前記基端部と前記ケース部材との間に、前記基端部と前記ケース部材との相対的な回動を禁止し得る係合部を設けたことを特徴とする転写具。
【請求項２】
前記係合部を、前記転写ヘッドの基端部と前記第一のケース部材並びに前記第二のケース部材との間にそれぞれ設けている請求項１記載の転写具。
【請求項３】
前記係合部を、前記転写ヘッドの基端部及び前記ケース部材のいずれか一方に設けた凹部と他方に設けた凸部とを有するものとしている請求項１又は２記載の転写具。
【請求項４】
前記凹部並びに前記凸部の形状を断面視多角形状としている請求項３記載の転写具。
【請求項５】
前記第一のケース部材及び前記第二のケース部材の内面と前記基端部とをそれぞれ当接させている請求項１、２、３又は４記載の転写具。
【請求項６】
前記リール部を前記転写テープを供給し得る供給リールと前記転写テープを巻き取り得る巻き取りリールとを有するものとし、
前記ケース部材のいずれか一方が前記リール部の一方を支持するとともに前記支持板が前記リール部の他方を支持するものとしている請求項１、２、３、４又は５記載の転写具。
【請求項７】
前記リール部を前記転写テープを供給し得る供給リールと前記転写テープを巻き取り得る巻き取りリールとを有するとともに前記ケース部材のいずれか一方が前記供給リールとともに回転し得る駆動ギヤを有するものとし、
前記巻き取りリールに前記駆動ギヤと噛合い得る従動ギヤ部を形成している請求項１、２、３、４、５又は６記載の転写具。
【発明の詳細な説明】
【技術分野】
【０００１】
本発明は、糊や修正インキ塗膜などの転写物を好適に紙などの被転写物に転写し得る転写具に関するものである。
【背景技術】
【０００２】
従来、糊や修正インキ塗膜などの転写物を好適に紙などの被転写物に転写し得る転写具において、転写物を使い切った後に、転写具のケースの内部に収容されたリフィルのみを交換する事により、継続的に使用し得るリフィル交換式の転写具が種々提案されている。
【０００３】
斯かるリフィル交換式の転写具は、リフィルに取り付けた転写ヘッドの基端部や、ケース内におけるリフィルの周縁部に、ケース内部においてリフィル周縁部を囲うように複数の適宜固定する手段を設けてケース内に確実に固定して、好適な転写物の転写を実現し得るものとなっている。
【特許文献１】実用新案登録第３０６９６９１号
【発明の開示】
【発明が解決しようとする課題】
【０００４】
しかしながら、上述のリフィル交換式の転写具においては、転写動作時には転写ヘッドを紙に押し付ける作用力が必要となる。斯かる作用力はまずリフィルに取り付けた転写ヘッドの基端部に掛かることとなる。そうなると、当該転写ヘッドの基端部を支点として、リール部を含むリフィルの主要部分がケース内を移動する力が掛かってしまう。そのため、従来のリフィル交換式の転写具においては、このような転写動作時のケースの移動にも対応し得るまでにリフィルを支持しておかなければならない。このような理由によって従来の転写具は、リフィルにケース内部に当接する固定箇所を多数設けた構成を強いられているのが現状であった。
【０００５】
そしてその際、リフィルをケースに固定する箇所は転写体を巻回したリール部を避けて設けなければならない。そのため、確実にリフィルをケースに固定すべくリフィルの周縁に複数の固定箇所を設ける場合には、リールあるいはリールに巻回された転写体などの外形よりも外側にリフィルの構成要素を配さなければならず、リフィルをコンパクトに構成し得ない要因となっていた。
【０００６】
他方、もしケース内のリフィルの支持強度が足りない場合には、ケースにおけるリール部を回動可能に支持する箇所とリール部との位置がずれてしまうため、リール部の回転に不具合が生じてしまい、巻回された転写物の供給すなわち繰り出しや巻き取りが妨げられ、転写物を容易且つ正確に転写できないといったことが起こり得る。
【０００７】
本発明は、このような不具合に着目したものであり、リフィルをケース内で支持する箇所を削減しながら好適に転写物の転写を行い得る転写具を提供する。
【課題を解決するための手段】
【０００８】
本発明は、このような目的を達成するために、次のような手段を講じたものである。すなわち、本発明に係る転写具は、第一のケース部材及び第二のケース部材との間にリフィルを設けた転写具において、前記リフィルを、転写テープを保持するリール部と、転写テープに設けた転写物を被転写体に転写し得る転写ヘッドと、前記リール部を取り付けるとともに前記転写ヘッドの基端部を一体的に設けた支持板とを有するものとし、前記基端部と前記ケース部材との間に、前記基端部と前記ケース部材との相対的な回動を禁止し得る係合部を設けたことを特徴とする。
【０００９】
ここで本明細書において、転写物を保持し、詰め替え・交換し得るものを示す文言として、「リフィル」という用語を採用しているが、この用語は、「カートリッジ」、「交換式カートリッジ」といった文言と同義であり、互いに置き換える事が可能なものである。
【００１０】
このようなものであれば、転写物の転写時に掛かる作用力が係合部を介してケース部材側に伝えたれるために両ケース部材間に収容されたリフィルが両ケース部材内で移動してしまい、リール部とケース部材とが相対移動してしまうという不具合を有効に回避することができる。そのため、係合部の両ケース部材とリフィルとを位置決めする他の箇所を設ける数を有効に削減することも可能となる。その結果として、支持板の周囲に位置決めする箇所を設けることを回避して、支持板をコンパクトなものとしたコンパクトなリフィルを構成することが可能となる。
【００１１】
ケース部材がリフィルをより確実に支持するためには、係合部を、転写ヘッドの基端部と第一のケース部材並びに第二のケース部材との間にそれぞれ設けることが望ましい。
【００１２】
そして基端部とケース部材との相対的な回動を禁止し得る係合部の態様としては、転写ヘッドの基端部及びケース部材のいずれか一方に設けた凹部と他方に設けた凸部とを有するものとすることが好ましい。
【００１３】
また望ましい凹部と凸部の形状の例としては、当該凹部並びに凸部の形状を断面視多角形状としたものを挙げることができる。ここで「多角形」とは、通常の正三角形や正方形などの通常多角形を称するものの他、例えば十字形状や星形形状など、一部に凹みを有する形状をも含むものとする。
【００１４】
他方、リフィルを収容した状態において両ケース部材の高い係合強度を実現することにより、使用時の両ケース部材間のねじれを有効に防止するためには、第一のケース部材及び第二のケース部材の内面と基端部とをそれぞれ当接させているものとすることが望ましい。
【００１５】
そしてリール部を、転写テープを供給し得る供給リールと転写テープを巻き取り得る巻き取りリールとを有するものとした場合、ケース部材のいずれか一方がリール部を一端側から支持するとともに支持板がリール部の他端側を支持させたものとすれば、支持板がリール部の片方の端部から支持するものとしても、リール部はリフィル内において両側から確実に支持された状態となる。すなわち、支持板をリール部の片側のみから支持するものとしてリフィルを構成する部品点数を削減しても好適にリール部を支持し得るものとなる。
【００１６】
また本発明は上述の通り、リフィルのケース部材内の移動を有効に禁止し得ているため、さらに、ケース部材のいずれか一方が上述の供給リールとともに回転し得る駆動ギヤを有するものとして、巻き取りリールに駆動ギヤと噛合い得る従動ギヤ部を形成したものとすれば、駆動に斯かる部品点数、並びにリール部の回転に係る部品の係り合う箇所を有効に削減して転写テープの安定した走行を実現し得るものとなる。
【発明の効果】
【００１７】
本発明によれば、リール部とケース部材とが相対移動してしまうという不具合を有効に回避することができるので、係合部の両ケース部材とリフィルとを位置決めする他の箇所を設ける数を有効に削減することが可能となる。その結果として、支持板の周囲に位置決めする箇所を設けることを回避して、支持板を小さく構成したコンパクトなリフィルを構成することが可能となる。
【発明を実施するための最良の形態】
【００１８】
以下、本発明の一実施の形態について図面を参照して説明する。
【００１９】
本実施形態に係る転写具Ａは、図１、図２、図３、図４及び図５に示すように、第一のケース部材たる第一ケース部材１と、当該第一ケース部材１に対して係合し得る第二のケース部材たる第二ケース部材２と、転写テープＴ及び転写ヘッド３５を保持するとともに、これら係合した第一ケース部材１及び第二ケース部材２に収容されるリフィル３とを主に有しているものである。なお本実施形態に係る転写具Ａは一例として、第一ケース部材１、第二ケース部材２及びリフィル３の後述する支持板３４を透明な樹脂しにより構成しているので、図１における第一ケース部材１及び第二ケース部材２の内部を実線で表わしている。
【００２０】
また本実施形態に係る転写具Ａはさらに同図に示すように、第一ケース部材１と第二ケース部材２とを回動可能に接続する接続部材４と、第一ケース部材１及びリフィル３に亘って設けられ後述するリール部３１を構成する供給リール３２の回転を巻き取りリール３３へと伝達する伝達機構Ｄとをさらに有したものとなっている。そして接続部材４によって回動可能に接続された第一ケース部材１及び第二ケース部材２は、当該第一ケース部材１と第二ケース部材２との確実な係合並びに容易な係合解除を実現すべく、後述する前側係合手段ＦＥ、操作部Ｌ及び後側係合手段ＢＥを構成している。
【００２１】
ここで、本実施形態に係る転写具Ａは、リフィル３を、転写テープＴを保持するリール部３１と、転写テープＴに設けた転写物を被転写体に転写し得る転写ヘッド３５と、リール部３１を取り付けるとともに転写ヘッド３５の基端部３５１を一体的に設けた支持板３４とを有するものとし、基端部３５１と第一ケース部材１と第二ケース部材２との間に、基端部３５１と第一ケース部材１及び第二ケース部材２との相対的な回動を禁止し得る、後に詳述する係合部５を設けたことを特徴としている。
【００２２】
以下、転写具Ａを構成する各部について説明する。以下の説明において、「前」とは、特別な限定がない限り、転写ヘッド３５がある側を指し、「後」とは転写ヘッド３５とは反対の側、言い換えれば転写ヘッド３５から供給リール３２及び巻き取りリール３３側を指すものである。加えて、転写物としては、糊や、被転写体である紙面あるいはフィルムに書かれたり印刷された文字や図形などを修正する修正インキ塗膜などであってもよい。
【００２３】
第一ケース部材１は、図１、図２、図３、図４及び図５に示すように、当該第一ケース部材１の主体をなす主壁１１と、その主壁１１に一体に形成されて主壁１１を取り巻く側壁１２と、接続部材４を回動可能に取り付ける第一取付部１３と、第一ケース部材１に取り付けられ不使用時に転写ヘッド３５を被覆し得るヘッドカバー１４とを備えている。またヘッドカバー１４は、転写具Ａの使用時には転写ヘッド３５を露出させ得る位置に、不使用時には転写ヘッド３５を被覆しうる姿勢をとり得る通常の構造を有するものであり、他の既存の構成を種々採用し得るものであるため、具体的な説明は省略するものとする。
【００２４】
主壁１１は、同図に示す通り、その内側にリール部３１を回転可能に取り付けるためのリール取付部１１１を有している。リール取付部１１１は、具体的にはリール部３１の後述する供給リール３２を取り付ける供給リール取付部１１２と、巻き取りリール３３を回転可能に支持する巻き取りリール取付部１１３とを有している。供給リール取付部１１２は、供給リール３２の後述する噛合穴３２１ａに挿入することにより当該供給リール３２とともに回転し得る供給リール支持部１１２ａと、供給リール支持部１１２ａに対して図示しない滑り機構を介して同軸に取り付けた駆動ギヤ１１２ｂとを有している。巻き取りリール取付部１１３は主壁１１から略円筒形状に一体に形成されたものであり、巻き取りリール３３の先端に形成した後述する巻き取りリール取付穴３３１ａに挿入し得るものとなっている。また主壁１１の下前部分には側壁１２が設けていない開口端となっており、当該開口端から後述する転写ヘッド３５が突出し得るものとなっている。
【００２５】
そして主壁１１は、後述する転写ヘッド３５の基端部３５１に対応する位置に、後に詳述する係合部５を構成する第一十字リブ５１を形成しているものであるが、当該第一十字リブ５１の構成については後に詳述する。
【００２６】
側壁１２は、同図に示す通り、前側係合手段ＦＥを構成する前溝１２１、後側係合手段ＢＥを構成する後凸条１２２、後述する爪部２２ｃとともに操作部Ｌを構成する爪受部１２ｃを有するものとしている。前溝１２１は、側壁１２の前部分の外面に設けられ、第二ケース部材２側の後述する前凸条２２１に対して係合することにより、当該前凸条２２１とともに前側係合手段ＦＥを構成するものである。後凸条１２２は、側壁１２の後部分の内面に設けられ、第二ケース部材２側の後述する後溝２２２に対して係合することにより、当該後溝２２２とともに後側係合手段ＢＥを構成するものである。爪受部１２ｃは側壁１２の前溝１２１と後溝２２２と間の中間位置に形成したものであり、切欠部１２３と、爪受凹部１２４とを有している。切欠部１２３は、側壁１２の形状を半円状に切り欠いて形成することにより後述する操作端２２３に対応させたものである。爪受凹部１２４は、切欠部１２３より主壁１１側に設けてあり、第二ケース部材２に形成される後述する爪部２２ｃの係合端２２４が係合するものである。第一取付部１３は、接続部材４の厚みにほぼ等しい深さを有する取付凹部１３１を備えている。取付凹部１３１の前及び後内壁には、接続部材４の第一ケース部材１側の軸部として機能する突起が形成してある。
【００２７】
第二ケース部材２は、図１、図２、図３、図４及び図５に示すように、第一ケース部材１を実質的に蓋する蓋壁２１と、その蓋壁２１に一体に形成されて第一ケース部材１の側壁１２と重なり合う第一側壁２２ａ及び第二側壁２２ｂと、第一側壁２２ａと第二側壁２２ｂとの間に配置されて弾性変形することにより第一ケース部材１の爪受部１２ｃと係合する操作部Ｌを構成する爪部２２ｃと、接続部材４を取り付ける第二取付部２３と、接続部材４の回転を規制する回転規制片２４とを備えている。
【００２８】
蓋壁２１は、供給リール３２並びに巻き取りリール３３の中心に対応する二箇所において支持板３４に設けた被支持穴３４３、３４４にそれぞれ嵌り得る挿入突起２１１、２１２をそれぞれ形成している。
【００２９】
そして蓋壁２１には、後述する転写ヘッド３５の基端部３５１に対応する位置に、係合部５を構成する第二十字リブ５２を形成しているものであるが、当該第二十字リブ５２の構成については後に詳述する。
【００３０】
第一側壁２２ａは、その内面に前凸条２２１が設けてある。当該前凸条２２１は、第一ケース部材１側の前溝１２１に対して係合し得るものであり、前溝１２１とともに上述した前側係合手段ＦＥを構成するものである。第二側壁２２ｂは、その外面に後溝２２２を設けている。当該後溝２２２は、第一ケース部材１側の後凸条１２２に対して係合し得るものであり、当該後凸条１２２とともに後側係合手段ＢＥを構成するものである。爪部２２ｃは、実際に上述した爪受凹部１２４に係合する係合端２２４と、爪受凹部１２４と係合している係合端２２４の係合を解除する外力を受ける操作端２２３とを備えている。操作端２２３の平面形状は、切欠部１２３の形状に対応させた概略半円状としてある。第二取付部２３は、第一取付部１３と同様に、接続部材４の厚みにほぼ等しい深さを有する取付凹部２３１を備えている。取付凹部２３１の前及び後内壁には、接続部材４の第二ケース部材２側の軸部として機能する突起が同様に形成してある。回転規制片２４は、この第二取付部２３を横切るようにして設けてある。斯かる回転規制片２４は、第二ケース部材２を接続部材４に対して９０°を上回る角度を離して開いた状態から第二ケース部材２を閉める方向に回転させた際に、第二ケース部材２の回転を規制するものである。
【００３１】
接続部材４は、図１、図２、図３、図４及び図５に示すように、第一ケース部材１と第二ケース部材２とをケースとして機能させるために、第一ケース部材１と第二ケース部材２とをそれぞれ独立して回転可能に接続する蝶番として機能するものである。接続部材４は、具体的には軟質もしくは弾性体の合成樹脂素材により形成される。接続部材４は、蝶番として機能するほぼ長方形の板状の蝶番本体４１と、長方形状の平行な長辺に沿って形成された第一回転軸部４１１及び第二回転軸部４１２を備えている。詳細に説明すると蝶番本体４１は、その上面の中央部分が周囲より凹んでおり、周囲に段部を形成することにより第一回転軸部４１１と第二回転軸部４１２とを形成する構造になっている。そして第一回転軸部４１１は、その両端に穴部を形成しており、当該穴部が第一ケース部材１の第一取付部１３の突起と係合するものとなっている。他方第二回転軸部４１２は、その両端に穴部を形成しており、当該穴部が第二ケース部材２の第二取付部２３の突起と係合するものとなっている。
【００３２】
この接続部材４により、第一ケース部材１と第二ケース部材２とを相互に回転可能に接続したものとなる。そして使用時にあっては、蝶番本体４１の第一回転軸部４１１と第二回転軸部４１２との間の表面を回転規制片２４が接触しながら移動し、第一回転軸部４１１に回転規制片２４が接触することにより第二ケース部材２の回転がされるようになっている。すなわち、第一ケース部材１と第二ケース部材２とを開いた場合に、第一ケース部材１４と第二ケース部材２とを同じ平面上に置くことができるので、リフィル３の交換を容易にすることができるものとなっている。
【００３３】
リフィル３は、図１乃至図３、及び図６乃至図１０に示すように、第一ケース部材１及び第二ケース部材２の間に保持されるものであり、転写テープＴを巻回保持するリール部３１と、転写テープＴを紙などの被転写物に対して押圧可能な転写ヘッド３５と、これらリール部３１を回転可能に支持するとともに転写ヘッド３５を一体的に保持している支持板３４とを主要な構成要素としている。
【００３４】
リール部３１は、特に図６及び図７に示すように、未使用の転写テープＴが巻き付けられる供給リール３２と、使用済みの転写テープＴのフィルムを巻き取る巻き取りリール３３とを有している。
【００３５】
供給リール３２は、同図に示すように、当該供給リール３２の主体をなす供給リール本体３２１と、上述した供給リール支持部１１２ａに対して転写テープＴが引き出された際の供給リール３２の回転を伝達可能に噛合いながら収容し得る噛合穴３２１ａとを有している。
【００３６】
巻き取りリール３３は、同図に示すように、当該巻き取りリール３３の主体をなす巻き取りリール本体３３１と、上述した巻き取りリール取付部１１３に対して回転し得るように巻き取りリール取付部１１３を収容し得る巻き取りリール取付穴３３１ａと、巻き取りリール取付穴３３１ａの周縁部に形成され、上述した駆動ギヤ１１２ｂに対して噛合い得る従動ギヤ部３３１ｂとを有している。すなわち本実施形態では、供給リール取付部１１２を構成する供給リール支持部１１２ａ並びに駆動ギヤ１１２ｂと、斯かる従動ギヤ部３３１ｂとによって伝達機構Ｄを構成している。
【００３７】
支持板３４は、同図に示すように、前端部分に転写ヘッド３５の基端部３５１を位置付けたものであり、第一ケース部材１に対向する面において供給リール３２並びに巻き取りリール３３を回転可能に保持する供給リール保持部３４１並びに巻き取りリール保持部３４２と、第二ケース部材２に対向する面における供給リール３２並びに巻き取りリール３３の中心に該当する箇所にそれぞれ設けられた被支持穴３４３、３４４と、当該支持板３４の下端においてリフィル３単独での輸送時に包装材が転写物に誤って付着することを回避し得る保護片３４５とを有している。また被支持穴３４３、３４４の開口縁部には第二ケース部材２に当接することにより当該支持板３４を厚み方向に位置決めし得る当接端３４３ａ、３４４ａを形成している。そして保護片３４５は、リフィル３が第一ケース部材１及び第二ケース部材２の間に収容される際には第一ケース部材１の下端部において側壁１２に当接し得るものとなっている。
【００３８】
転写ヘッド３５は、同図に示すように、支持板３４に一体的に形成された基端部３５１と、基端部３５１から前方へ延出する延出板３５２と、延出板３５２の両側に形成された規制板３５３と、規制板３５３の先端に回転可能に支持された転写ローラ３５４とを有している。基端部３５１は、後述する係合部５を構成する十字穴部５３を構成しているが、斯かる十字穴部５３については後に詳述する。延出板３５２は、基端部３５１は、本実施形態では使用時の転写ヘッド３５の押圧時に若干弾性変形し得るように設定されている。規制板３５３は使用時の転写テープＴの側方のずれを抑制して安定した転写テープＴの走行並びに転写物の正確な被転写物への転写に供するものである。転写ローラ３５４は、転写テープＴを被転写物へ好適に押圧するために、表面を例えば弾性変形し得る素材で構成したものとしている。
【００３９】
しかして本実施形態に係る転写具Ａは、図１乃至図１０に示すように、転写ヘッド３５の基端部３５１と第一ケース部材１と第二ケース部材２との間に、基端部３５１とケース部材との相対的な回動を禁止し得る係合部５を設けたことを特徴としているものである。具体的には、係合部５を、転写ヘッド３５の基端部３５１と第一ケース部材１並びに第二ケース部材２との間にそれぞれたものとしている。以下に係合部５の構成について説明する。
【００４０】
係合部５は、特に図６乃至図１１に示すように、第一ケース部材１に形成した第一十字リブ５１と、第二ケース部材２に形成した第二十字リブ５２と、転写ヘッド３５の基端部３５１に形成された十字穴部５３とを有している。
【００４１】
第一十字リブ５１は、同図に示すように、第一ケース部材１の主壁１１から起立するものであり、十字穴部５３の凹部５３ａに嵌り得る凸部５１ａと、凹部５３ａの周縁に主壁１１すなわち第一ケース部材１の内面を隆起させて設けた当接面５１ｂとを有している。凸部５１ａは、本実施形態では断面視多角形状である十字形状に構成することにより、凹部５３ａに隙間無く嵌合し得るように構成したものである。当接面５１ｂは、第一ケース部材１と第二ケース部材２とを、上述した前側係合手段ＦＥ、後側係合手段ＢＥ並びに操作部Ｌをそれぞれ係合させた際に十字穴部５３に設けた端面５３ｂに当接し得るものである
第二十字リブ５２は、同図に示すように、第二ケース部材２の蓋壁２１から起立するものであり、十字穴部５３の凹部５３ａに嵌り得る凸部５２ａと、当該凸部５２ａの周縁に蓋壁２１すなわち第二ケース部材２の内面を隆起させて設けた当接面５２ｂとを有している。凸部５２ａは、本実施形態では断面視多角形状である十字形状に構成することにより、凹部５３ａに隙間無く嵌合し得るように構成したものである。当接面５２ｂは、第一ケース部材１と第二ケース部材２とを、上述した前側係合手段ＦＥ、後側係合手段ＢＥ並びに操作部Ｌをそれぞれ係合させた際に十字穴部５３に設けた端面５３ｂに当接し得るものである。
【００４２】
十字穴部５３は、同図に示すように、内面において凸部５１ａ、５２ａに対して隙間無く嵌合し得る凹部５３ａと、第一ケース部材１並びに第二ケース部材２の内面に面する端面５３ｂとを有している。凹部５３ａは、本実施形態では上述の凸部５１ａ、５２ａに対応すべく断面視多角形状である十字形状に構成することにより、凸部５１ａ、５２ａに隙間無く嵌合し得るように構成したものである。
【００４３】
そして、図９及び図１０に断面で示すように、状態で第一ケース部材１と第二ケース部材２との間にリフィル３を収容した状態では、凸部５１ａ、５２ａは凹部５３ａにそれぞれ隙間無く嵌合することにより転写ヘッド３５の基端部３５１は第一ケース部材１或いは第二ケース部材２に対して回転不能な状態となる。また斯かる状態では、当接面は十字穴部５３の端面５３ｂの両端からそれぞれ当接し厚み方向にも位置決めされた状態となっている。詳細には、当接面は、樹脂により構成された第一ケース部材１及び第二ケース部材２の撓みにより弾性付勢しながら十字穴部５３の端面５３ｂを両側から押圧した状態とするものとなっている。そして、この状態では、第二ケース部材２に設けた挿入突起２１１、２１２が支持板３４の被支持穴３４３、３４４に挿入されるとともに、被支持穴３４３、３４４の当接端３４３ａ、３４４ａが蓋壁２１に当たることによって、支持板３４は厚み方向に正確に位置決めされる。加えて斯かる状態では、第一ケース部材１と第二ケース部材２との係合が、介在する転写ヘッド３５の基端部３５１に設けた十字穴部５３を介して、撓みに対する強度をより向上し得たものとなっている。
【００４４】
そして図１１に示すように、転写ヘッド３５を被転写物に対して押圧する際に、斯かる係合部５が基端部３５１と第一ケース部材１と第二ケース部材２との相対的な回動を禁止することにより、転写物の転写時に掛かる作用力が係合部５を介してケース部材側に伝えたれるために転写ヘッド３５を押圧することによって転写ヘッド３５が基端部３５１を中心として上方へ相対的に回動する方向の作用力が加わっても、支持板３４が第一ケース部材１並びに第二ケース部材２内で回動することがない。そのため、リール部３１と第一ケース部材１との接触部分には何ら作用力が加わる事はない。すなわち、係合部５による回動の禁止のみで、リフィル３の両ケース部材内部での上下方向の移動を確実に禁止し得たものとなっている。両ケース部材間に収容されたリフィル３が両ケース部材内で移動してしまい、リール部３１とケース部材とが相対移動してしまうという不具合を有効に回避し得たものとなっている。
【００４５】
以上のような構成とすることにより、本実施形態に係る転写具Ａは、基端部３５１と第一ケース部材１と第二ケース部材２との間に、基端部３５１と第一ケース部材１と第二ケース部材２との相対的な回動を禁止し得る係合部５を設けているので、上述の通り、転写物の転写時に掛かる作用力が係合部５を介して第一ケース部材１又は第二ケース部材２側に伝え得るものとなっている。そのため、第一ケース部材１と第二ケース部材２との間に収容されたリフィル３の移動により、リール部３１が第一ケース部材１と第二ケース部材２に対してずれを起こしてしまうという不具合を有効に回避し得たものとなっている。そうすることにより、係合部５の他にリフィル３を位置決めする他の箇所を設ける数を有効に削減し得たものとなっている。本実施形態においてはリフィル３の回動を禁止する箇所を、係合部５のみに設定している。その結果として、支持板３４の周囲に位置決めする箇所を設けることを回避する事ができたので、支持板３４をコンパクトなものとしたコンパクトなリフィル３を実現し得たものとなっている。
【００４６】
さらに、係合部５を、転写ヘッド３５の基端部３５１と第一ケース部材１並びに第二ケース部材２との間にそれぞれ設けることにより、リフィル３の確実な支持に奏効し得たものとなっている。
【００４７】
そして具体的な係合部５の実施態様として、転写ヘッド３５の基端部３５１に設けた凹部５３ａと第一ケース部材１及び第二ケース部材２に設けた凸部５１ａ、５２ａとを形成して、リフィル側の外形に突起を形成することを回避してコンパクト化にも寄与したものとなっている。
【００４８】
そして凹部５３ａと凸部５１ａ、５２ａの形状の例としては、当該凹部５３ａ並びに凸部５１ａ、５２ａの形状を断面視多角形状である十字形状とし、確実に回動を禁止し得るものとしている。
【００４９】
他方、第一ケース部材１及び第二ケース部材２の内面と基端部３５１とをそれぞれ当接させているものとすることにより、ことが望ましい。リフィル３を収容した状態において両ケース部材の高い係合強度を実現するとともに、第一ケース部材１及び第二ケース部材２間のねじれを有効に防止し得たものとなっている。
【００５０】
そして本実施形態では係合部５が確実にリフィル３の回転を禁止しているので、支持板３４のように、リール部３１はリフィル３内において片側のみから支持する構成を採用しても、第一ケース部材とともに両側から支持する態様として、確実な支持を実現するとともに、支持板３４をコンパクトに形成することによる、リフィル３のコンパクト化に寄与し得たものとしている。同じく係合部５に係るリフィル３の回転の禁止により、リール部が好適に位置決めされた構成となっているため、伝達機構Ｄを構成要素を第一ケース部材１側とリフィル３側に分割して構成し従動ギヤ部３３１ｂを巻き取りリール３３に一体に形成することによって、部品点数を削減したものとしても好適に駆動力の伝達を行い得るものとなっている。併せて、駆動に斯かる部品点数、並びにリール部３１の回転に係る部品の係り合う箇所を有効に削減して転写テープＴの安定した走行を実現し得たものとなっている。
【００５１】
＜変形例＞
以下に本実施形態の変形例について説明するが、本変形例において上記実施形態と同様の構成要素については同じ符合を付して詳細な説明を省略するものとする。
【００５２】
図１２に示すように、上記実施形態以外の形状であっても好適に回転を禁止する事が可能である。
【００５３】
すなわち当該変形例に係る係合部５Ａは、転写ヘッド３５の基端部３５１に設けた角穴部５３Ａと、図示しない第一ケース部材１側に設けた第一四角リブ５１Ａと、図示しない第二ケース部材２側に設けた第二四角リブ５２Ａとを有したものとしている。
【００５４】
そして第一四角リブ５１Ａは、角穴部５３Ａの凹部５３ａＡに嵌り得る凸部５１ａＡと、凹部５３ａＡの周縁において図示しない第一ケース部材１の内面を隆起させて設けた当接面５１ｂＡとを有している。凸部５１ａＡは、本実施形態では断面視多角形状である四角形状に構成することにより、凹部５３ａＡに隙間無く嵌合し得るように構成したものである。当接面５１ｂＡは、角穴部５３に設けた端面５３ｂに当接し得るものである第二四角リブ５２Ａは、角穴部５３Ａの凹部５３ａＡに嵌り得る凸部５２ａＡと、当該凸部５２ａＡの周縁に図示しない第二ケース部材２の内面を隆起させて設けた当接面５２ｂＡとを有している。十字穴部５３Ａは、内面において凸部５１ａＡ、５２ａＡに対して隙間無く嵌合し得る凹部５３ａＡと、第一ケース部材１並びに第二ケース部材２の内面に面する端面５３ｂＡとを有している。
【００５５】
斯かる構成を有する係合部５Ａによっても、リフィル３の回転を有効に禁止し得るものとなっている。
【００５６】
また、図１３に示すように、多角形状以外の形状を用いた構成であっても回動を禁止し得る係合部５Ｂを構成することが可能である。加えて、リフィル側における単一の転写ヘッド３５の基端部３５１に対して第一ケース部材１又は第二ケース部材２に設けた複数の構成要素によって係合部５Ｂを構成しても良い。
【００５７】
すなわち当該変形例に係る係合部５Ｂは、転写ヘッド３５の基端部３５１に設けられ２つの凹部５３ａＢ、５３ａＢを有する二穴部５３Ｂと、図示しない第一ケース部材１側において２箇所に凸部５１ａＢを設けた第一円柱リブ５１Ｂと、図示しない第二ケース部材２側において２箇所に凸部５２ａＢを設けた第二円柱リブ５２Ｂとを有したものとしてもよい。勿論当該変形例においても端面５３ｂＢに対して当接面５１ｂＢ、５２ｂＢが当接し得るものとしている。
【００５８】
斯かる係合部５Ｂのように、多角形状の断面形状を用いないものであってもよい。併せて当該係合部５Ｂのように１箇所の転写ヘッド３５の基端部３５１に設けた２つの穴状の凹部５３ａＢに対して第一ケース部材１又は第二ケース部材２における２つの凸部５１ａＢ又は凸部５２ａＢが対応するものであってもよい。
【００５９】
以上、本発明の実施形態について説明したが、各部の具体的な構成は、上述した実施形態のみに限定されるものではなく、本発明の趣旨を逸脱しない範囲で種々変形が可能である。
【００６０】
例えば、ケース部材側に凹部を設けるとともにリフィル側に突起を設けた係合部を構成しても良い。また、支持板の回転を禁止し得る係合部の断面形状は、上述の実施形態並びに変形例に限定されることはなく、相対的な回転を禁止し得る他の種々の形状を選択することが可能である。勿論凹部と凸部とは完全に嵌合し得る形状に限られる事はなく、例えば凹部とは異なる断面形状を有する凸部であっても、回動を禁止し得る形状であれば良い。
【００６１】
その他、各部の具体的構成についても上記実施形態に限られるものではなく、本発明の趣旨を逸脱しない範囲で種々変形が可能である。
【図面の簡単な説明】
【００６２】
【図１】本発明の第一実施形態に係る外観図。
【図２】同実施形態に係る平面図。
【図３】同実施形態に係る他の外観図。
【図４】同実施形態に係る平面図。
【図５】同上。
【図６】同実施形態に係る外観図。
【図７】同実施形態に係る平面図。
【図８】同実施形態に係る要部を示す外観図。
【図９】図２に係るＩ−Ｉ線断面図。
【図１０】図２に係るＩＩ−ＩＩ線断面図。
【図１１】同実施形態に係る作用説明図。
【図１２】同実施形態の変形例に係る構成説明図。
【図１３】同実施形態の他の変形例に係る構成説明図。
【符号の説明】
【００６３】
１…第一のケース部材（第一ケース部材）
１１２ｂ…駆動ギヤ
２…第二のケース部材（第二ケース部材）
３…リフィル
３１…リール部
３２…供給リール
３３…巻き取りリール
３３１ｂ…従動ギヤ部
３４…支持板
３５…転写ヘッド
３５１…基端部
５、５Ａ、５Ｂ…係合部
５１ａ、５２ａ、５１ａＡ、５２ａＡ、５１ａＢ、５２ａＢ…凸部
５３ａ、５３ａＡ、５３ａＢ…凹部
Ａ…転写具
Ｔ…転写テープ
【図１】
2008302598.tif 000003
【図２】
2008302598.tif 000004
【図３】
2008302598.tif 000005
【図４】
2008302598.tif 000006
【図５】
2008302598.tif 000007
【図６】
2008302598.tif 000008
【図７】
2008302598.tif 000009
【図８】
2008302598.tif 000010
【図９】
2008302598.tif 000011
【図１０】
2008302598.tif 000012
【図１１】
2008302598.tif 000013
【図１２】
2008302598.tif 000014
【図１３】
2008302598.tif 000015